(57)【要約】  使い勝手を悪化させることなく、電気掃除機としての機能と空気清浄機としての機能を両立した電気掃除機を提供する。  充電池（６）を備えた縦型の掃除機本体（１）と、掃除機本体（１）を直立させた状態で着脱可能に構成された充電台（２０）と、を備え、充電台（２０）は、空気を吸気する吸気口（２５）と、吸気した空気を浄化するためのフィルター（２９）と、浄化した空気を外部空間へ排気するための排気口と、空気を吸気口（２５）から吸気して排気口から排気させるファン（２８）と、を備える。排気口にはルーバーが設けられ、排気方向が水平方向よりも上方になるように構成される。
2015129387.tif 000002
【特許請求の範囲】
【請求項１】
吸引力を発生させるためのブロアモーターと、前記ブロアモーターに電力を供給する充電池と、塵埃を捕集する集塵室と、前記集塵室へ連通し前記ブロアモーターによる吸引力が作用する吸気風路と、前記吸気風路の入口に設けられた吸込口体と、を備える縦型の掃除機本体と、
前記掃除機本体を直立させた状態で着脱可能に構成され、前記掃除機本体が載置された状態で前記充電池を充電する充電台と、を備え、
前記充電台は、
空気を吸気する吸気口と、
吸気した空気を浄化するためのフィルターと、
浄化した空気を外部空間へ排気するための排気口と、
空気を前記吸気口から吸気して前記排気口から排気させるファンと、
を備える電気掃除機。
【請求項２】
前記吸気口は、前記排気口よりも上方に配置されて成る請求項１に記載の電気掃除機。
【請求項３】
前記吸気口は、前記排気口よりも下方に配置されて成る請求項１に記載の電気掃除機。
【請求項４】
前記掃除機本体は、直立した状態で前記吸気風路が鉛直方向に延在するよう構成され、
前記充電台は、前記吸気口から吸気された空気を前記排気口まで流通させるダクト部を含み、
前記ダクト部は前記吸気風路に沿って配置されて成る請求項１から請求項３の何れか１項に記載の電気掃除機。
【請求項５】
前記排気口は、水平よりも上方に向かって排気されるように構成されて成る請求項１から請求項４の何れか１項に記載の電気掃除機。
【請求項６】
前記排気口は、前記充電台の側方又は前方に向かって排気されるように構成されて成る請求項１から請求項５の何れか１項に記載の電気掃除機。
【請求項７】
前記ファンは、前記フィルターよりも下方に配置されて成る請求項１から請求項６の何れか１項に記載の電気掃除機。
【発明の詳細な説明】
【技術分野】
【０００１】
この発明は、電気掃除機に係り、特に充電台を備えた充電式の電気掃除機に関する。
【背景技術】
【０００２】
従来、例えば特許文献１には、電気掃除機と空気清浄機の双方を一体化した電気掃除機が開示されている。この電気掃除機では、電気掃除機のための構成に加えて、電気掃除機の内部に空気清浄用のクリーンフィルター装置と、このクリーンフィルター装置に空気を導入するための空気清浄用ファン内蔵電動機を備えている。そして、空気清浄用ファン内蔵電動機を駆動させて、吸気口から順にクリーンフィルター装置及び空気清浄用ファン内蔵電動機を経て排気口に至る風路を形成することにより、電気掃除機を空気清浄機として機能させる。
【先行技術文献】
【特許文献】
【０００３】
【特許文献１】日本特開平４−３５２９２５号公報
【発明の概要】
【発明が解決しようとする課題】
【０００４】
しかしながら、上記特許文献１の電気掃除機では、本来移動させる必要のない空気清浄機としての構成を掃除機本体に内蔵させているため、掃除機本体の大型化及び重量増によって使い勝手が悪くなるという課題がある。【０００５】
この発明は、上述の課題を解決するためになされたもので、使い勝手を悪化させることなく、電気掃除機としての機能と空気清浄機としての機能を両立した電気掃除機を提供することを目的とする。
【課題を解決するための手段】
【０００６】
この発明に係る電気掃除機は、吸引力を発生させるためのブロアモーターと、ブロアモーターに電力を供給する充電池と、塵埃を捕集する集塵室と、集塵室へ連通しブロアモーターによる吸引力が作用する吸気風路と、吸気風路の入口に設けられた吸込口体と、を備える縦型の掃除機本体と、掃除機本体を直立させた状態で着脱可能に構成され、掃除機本体が載置された状態で充電池を充電する充電台と、を備え、充電台は、空気を吸気する吸気口と、吸気した空気を浄化するためのフィルターと、浄化した空気を外部空間へ排気するための排気口と、空気を吸気口から吸気して排気口から排気させるファンと、を備えるものである。
【発明の効果】
【０００７】
この発明によれば、電気掃除機の充電台に空気を清浄するための構成を設けることとしたため、使い勝手を悪化させることなく、電気掃除機としての機能と空気清浄機としての機能を両立することが可能となる。
【図面の簡単な説明】
【０００８】
【図１】この発明の実施の形態１における電気掃除機の全体構成を示す図である。
【図２】この発明の実施の形態１における掃除機本体の側面図である。
【図３】図１に示す電気掃除機の側面図である。
【図４】図１に示す電気掃除機をＡ−Ａ断面で切断した断面図である。
【図５】図１に示す充電台の斜視図である。
【発明を実施するための形態】
【０００９】
以下、図面を参照してこの発明を実施するための形態について説明する。なお、各図中において、同一又は相当する部分には同一の符号を付して、重複する説明は適宜に簡略化ないし省略する。
【００１０】
実施の形態１．
図１は、この発明の実施の形態１における電気掃除機の全体構成を示す図である。この図に示すように、実施の形態１の電気掃除機は、ハンディタイプの掃除機本体１と充電台２０とを備えている。掃除機本体１は、内部に充電池を備えるコードレスタイプの縦型電気掃除機である。充電台２０は、掃除機本体１を直立した状態で着脱可能に構成されている。充電台２０は図示しない電源ケーブルによって外部電源に接続されており、掃除機本体１が充電台２０に載置されることにより両者が電気的に接続されて充電池が充電される仕組みになっている。
【００１１】
次に、掃除機本体１の構成について更に詳しく説明する。図２は、この発明の実施の形態１における掃除機本体の側面図である。この図に示すように、掃除機本体１は、塵埃を捕集する集塵室２を備えている。集塵室２は図示しない旋回室を介して吸気風路３に連通しており、吸気風路３の入口には吸込口体４が接続されている。掃除機本体１の内部には、吸引力を発生させるブロアモーター５が内蔵されており、充電池６から電力の供給を受けて駆動される。また、掃除機本体１の上部には取っ手７が設けられ、集塵室２の下方の部位には端子８が設けられている。端子８は、充電池６を充電するための電気の供給を受ける部位であって、掃除機本体１を充電台２０に載置した際に充電台２０と電気的に接続されるものである。
【００１２】
このような縦型の電気掃除機では、使用者は掃除機本体１の取っ手７を把持して清掃を行う。ブロアモーター５が駆動されると、吸気風路３に吸引力が作用し吸込口体４から空気とともに塵埃が吸入される。吸入された空気と塵埃は吸気風路３を通って旋回室に流通する。旋回室では、空気と塵埃とが分離されて、塵埃のみが集塵室２へ集塵される。
【００１３】
次に、充電台２０の構成について更に詳しく説明する。図３は、図１に示す電気掃除機の側面図である。また、図４は、図１に示す電気掃除機をＡ−Ａ断面で切断した断面図である。さらに、図５は、図１に示す充電台の斜視図である。以下、図１から図４を適宜参照して充電台２０の構成について説明する。
【００１４】
充電台２０は、台座部２１と、当該台座部２１に直立して支持された円柱状の支柱部２２とから構成されている。掃除機本体１は充電台２０に着脱自在に載置される。この場合、掃除機本体１は吸込口体４を台座部２１の前方に設置した状態で直立して支持される。より詳しくは、吸気風路３は掃除機本体１が直立した状態で鉛直方向に延在した縦長の形状を有しており、掃除機本体１を充電台２０に設置した状態で吸気風路３が支柱部２２の側面に沿って平行に配置される。また、集塵室２は掃除機本体１が直立した状態で吸気風路３の上部に位置し、掃除機本体１を充電台２０に設置した状態で支柱部２２の上面によって支持される。支柱部２２の上面には送電部２３が設けられ、上述した端子８と電気的に接触する。掃除機本体１は、充電台２０から供給された電気を用いて充電池６の充電動作を行う。
【００１５】
本実施の形態１の電気掃除機は、充電台２０に空気清浄機能を搭載している。すなわち、充電台２０の支柱部２２の背面側には、吸気口２５が設けられている。また、充電台２０の台座部２１の両側面には、それぞれ排気口２６が設けられている。吸気口２５と排気口２６とは、支柱部２２の内部空間に形成されたダクト部２７を介して連通している。なお、排気口２６の開口部には、排気方向を水平方向よりも上方に調整するためのルーバー２６１が設けられている。また、台座部２１の内部に位置するダクト部２７には、吸気口２５から空気を吸気して排気口２６へ排気するためのファン２８が配置されている。さらに、ダクト部２７には、吸気口２５から吸入された空気が通過するフィルター２９が設けられている。フィルター２９は、吸気口２５から吸入を浄化するためのものである。
【００１６】
このような構成において、ファン２８が駆動されると、外部の空気が吸気口２５から吸入されてフィルター２９により浄化される。浄化後の空気はダクト部２７を通過して排気口２６から外部空間へ放出される。掃除機本体１を用いて掃除を行うと空気中に塵埃が飛散する。本実施の形態１の電気掃除機によれば、電気掃除機の使用によって飛散した塵埃を充電台２０の空気浄化機能によって取り除くことができるので、清掃後の室内の空気を有効に浄化することが可能となる。
【００１７】
また、本実施の形態１の電気掃除機によれば、フィルター２９が汚れた場合に、掃除機本体１を用いて当該フィルター２９を清掃することができる。このため、フィルター２９を掃除するために別途掃除機を用意することが不要となり使い勝手が向上する。また、一般的に空気清浄機の周囲には気流の影響で塵埃が溜まり易いが、本実施の形態の電気掃除機によれば、空気清浄機能を備える充電台２０の周囲を、別途掃除機を用意することなく掃除機本体１を用いて手軽に清掃することができる。
【００１８】
また、本実施の形態１の電気掃除機では、吸気口２５が排気口２６よりも上方側に配置されている。このような構成によれば、床面から離れた位置の空気が吸入されるので、服などに付着している花粉等を効果的に吸い込むことができる。
【００１９】
また、本実施の形態１の電気掃除機では、掃除機本体１を充電台２０に載置した場合に、掃除機本体１の吸気風路３が充電台２０のダクト部２７に対して平行な位置となるように、すなわち、ダクト部２７の風路方向と吸気風路３の風路方向とが平行になるように構成されている。このような構成によれば、細長いそれぞれの風路を密接して配置させることができるので、スペース効率を最大限に向上させることができる。
【００２０】
また、本実施の形態１の電気掃除機では、フィルター２９が支柱部２２の内部に配置され、ファン２８が台座部２１の内部に配置されている。このような構成によれば、フィルターよりも重量の重いファン２８がフィルター２９よりも下方に配置されるため、充電台２０を低重心化させて安定性を向上させることができる。
【００２１】
また、本実施の形態１の電気掃除機では、排気口２６からの排気方向が水平よりも上方になるように構成されている。このような構成によれば、床面に溜まった塵埃を舞い上げることなく綺麗な空気を室内空間へ放出することができる。
【００２２】
ところで、本実施の形態１の電気掃除機では、吸気口２５を支柱部２２に設け、排気口２６を台座部２１に設けることにより、吸気口２５が排気口２６よりも上方に配置されることとした。しかしながら、吸気口２５及び排気口２６の配置はこれに限られず、台座部２１に吸気口２５を設け、支柱部２２に排気口２６設けることにより、吸気口２５が排気口２６よりも下方に配置されることとしてもよい。このような構成は、例えば、ファン２８による送風方向を逆方向にすればよい。このような構成によれば、床面から舞い上がる塵埃を台座部２１に配置された吸気口２５から効果的に吸入して浄化することができる。
【００２３】
また、本実施の形態１の電気掃除機では、排気口２６を台座部２１の側面に設けることとしたが、台座部２１の配置はこれに限られず、例えば台座部２１の上面に設けることとしてもよい。尚、台座部２１の背面は排気口２６の配置として不適である。台座部２１の背面側は壁に密着することが想定され、この場合排気口が塞がれてしまうからである。また、壁に密着していないとしても、排気が壁に当たり続けると壁が汚れてしまうことがある。このため、排気口２６が台座部２１の側面又は上面に配置されている場合には、排気方向が側方又は前方になるように、すなわち排気方向が背面方向にならないように、ルーバー２６１の角度を設定することが好ましい。
【００２４】
また、本実施の形態１の電気掃除機では、旋回室を備えたサイクロン式の電気掃除機について説明したが、電気掃除機の種類はこれに限られない。すなわち、充電台を備える縦型の電気掃除機であれば、紙パック式の電気掃除機でもよい。
【符号の説明】
【００２５】
１  掃除機本体、２  集塵室、３  吸気風路、４  吸込口体、５  ブロアモーター、６  充電池、７  取っ手、８  端子、２０  充電台、２１  台座部、２２  支柱部、２３  送電部、２５  吸気口、２６  排気口、２７  ダクト部、２８  ファン、２９  フィルター、２６１  ルーバー
【図１】
2015129387.tif 000003
【図２】
2015129387.tif 000004
【図３】
2015129387.tif 000005
【図４】
2015129387.tif 000006
【図５】
2015129387.tif 000007
【手続補正書】
【提出日】平成29年1月4日(2017.1.4)
【手続補正１】
【補正対象書類名】特許請求の範囲
【補正対象項目名】全文
【補正方法】変更
【補正の内容】
【特許請求の範囲】
【請求項１】
吸引力を発生させるためのブロアモーターと、前記ブロアモーターに電力を供給する充電池と、塵埃を捕集する集塵室と、前記集塵室へ連通し前記ブロアモーターによる吸引力が作用する吸気風路と、前記吸気風路の入口に設けられた吸込口体と、を備える縦型の掃除機本体と、
前記掃除機本体を直立させた状態で着脱可能に構成され、前記掃除機本体が載置された状態で前記充電池を充電する充電台と、を備え、
前記充電台は、
空気を吸気する吸気口と、
吸気した空気を浄化するためのフィルターと、
浄化した空気を外部空間へ排気するための排気口と、
空気を前記吸気口から吸気して前記排気口から排気させるファンと、
を備え、
前記吸気口は、前記排気口よりも上方に配置され、
前記ファンは、前記フィルターよりも下方に配置される電気掃除機。
【請求項２】
前記掃除機本体は、直立した状態で前記吸気風路が鉛直方向に延在するよう構成され、
前記充電台は、前記吸気口から吸気された空気を前記排気口まで流通させるダクト部を含み、
前記ダクト部は前記吸気風路に沿って配置されて成る請求項１に記載の電気掃除機。
【請求項３】
前記排気口は、水平よりも上方に向かって排気されるように構成されて成る請求項１又は請求項２に記載の電気掃除機。
【請求項４】
前記排気口は、前記充電台の側方又は前方に向かって排気されるように構成されて成る請求項１から請求項３の何れか１項に記載の電気掃除機。
【手続補正２】
【補正対象書類名】明細書
【補正対象項目名】０００６
【補正方法】変更
【補正の内容】
【０００６】
この発明に係る電気掃除機は、吸引力を発生させるためのブロアモーターと、ブロアモーターに電力を供給する充電池と、塵埃を捕集する集塵室と、集塵室へ連通しブロアモーターによる吸引力が作用する吸気風路と、吸気風路の入口に設けられた吸込口体と、を備える縦型の掃除機本体と、掃除機本体を直立させた状態で着脱可能に構成され、掃除機本体が載置された状態で充電池を充電する充電台と、を備え、充電台は、空気を吸気する吸気口と、吸気した空気を浄化するためのフィルターと、浄化した空気を外部空間へ排気するための排気口と、空気を吸気口から吸気して排気口から排気させるファンと、を備え、
吸気口は排気口よりも上方に配置され、ファンはフィルターよりも下方に配置されるものである。
【国際調査報告】
2015129387.tif 000008
2015129387.tif 000009
2015129387.tif 000010
2015129387.tif 000011